(57)【要約】【課題】簡素な構成でありながら、スムーズな（安定した）昇降を行わせることができる低床式電動ベッドを提供する点にある。【解決手段】床面Ｆに接地される接地部１と、この接地部１に起伏揺動自在に取り付けられた脚部２とからなる脚体３を前後に配置し、支持フレーム８の前側部分及び後側部分に、前後一対の脚体３，３をそれぞれ同一側同士で、かつ、前後方向に沿って移動可能な状態で連結し、支持フレーム８の前側部分と前側の脚体３との間及び支持フレーム８の後側部分と後側の脚体３との間のそれぞれに、伸縮式のアクチュエータ９，１０を備えさせたことを特徴とする。【選択図】      図１
2005065710.tif 000002
【特許請求の範囲】
【請求項１】
床面に接地される接地部と、この接地部に起伏自在に取り付けられた脚部とからなる脚体を前後に配置し、前後方向に長い支持フレームの前側部分及び後側部分に、前記前後一対の脚体をそれぞれ同一側同士で、かつ、前後方向に沿って移動可能な状態で連結し、前記支持フレームの前側部分と前側の脚体との間及び該支持フレームの後側部分と後側の脚体との間のそれぞれに、伸縮式のアクチュエータを備えさせたことを特徴とする電動ベッド。
【請求項２】
前記前側のアクチュエータの一端を前記支持フレームの前側端部に枢支連結すると共に該アクチュエータの他端を前記前側の脚部の中間部に枢支連結し、前記後側のアクチュエータの一端を前記支持フレームの後側端部に枢支連結すると共に該アクチュエータの他端を前記後側の脚部の中間部に枢支連結してなる請求項１記載の電動ベッド。
【請求項３】
前記支持フレームを前側フレーム部と後側フレーム部とに分割し、それら分割された２つのフレーム部の突き合わせ側端部同士を枢支連結してなる請求項１又は２記載の電動ベッド。
【請求項４】
前記支持フレームの前側部分を構成する左右の横側部と前記前側の脚部を構成する左右の横側部とを左右一対の前側補助アームにて枢支連結し、前記支持フレームの後側部分を構成する左右の横側部と前記後側の脚部を構成する左右の横側部とを左右一対の後側補助アームにて枢支連結してなる請求項１〜３のいずれかに記載の電動ベッド。
【請求項５】
前記支持フレームの上部に、複数の床からなる床部を備えさせ、前記床部のうちの背部床を、伸縮式のアクチュエータにより起伏自在に構成すると共に膝部床及び脚部床が、伸縮式のアクチュエータにより側面視においてほぼへの字状になるように該膝部床及び脚部床の少なくとも一方を起伏自在に構成してなる請求項１〜４のいずれかに記載の電動ベッド。
【請求項６】
前記支持フレームに対して前記前後一対の脚部の支持フレーム側端部をそれぞれ前後移動自在に案内するための案内手段を設けてなる請求項１〜５のいずれかに記載の電動ベッド。
【請求項７】
前記案内手段が、前記脚部の支持フレーム側端部に取り付けられた回転ローラと、この回転ローラを係合させるために前記支持フレームに取り付けたガイド部材とからなる請求項６に記載の電動ベッド。
【請求項８】
前記脚部が、左右一対の左右パイプ部からなり、これら左右パイプ部の支持フレーム側端部それぞれに前記回転ローラを取り付け、これら回転ローラに係合する前記ガイド部材が、左右方向内方側に開口する前後方向視ほぼコの字形状で、かつ、前後方向に伸びるガイドレールから構成してなる請求項７に記載の電動ベッド。
【発明の詳細な説明】
【０００１】
【発明の属する技術分野】
本発明は、床部を載置支持する支持フレームを伸縮式のアクチュエータにより昇降可能に構成してなる電動ベッドに関する。
【０００２】
【従来の技術】
上記電動ベッドでは、前後方向に長い支持フレームの下方に配置した駆動機構により起伏自在に構成された前後一対の起伏脚部材の上端を、支持フレームの長手方向に沿って移動可能な状態で支持フレームの前後のそれぞれに連結し、前記駆動機構の作動により前後一対の起伏脚部材を起伏操作することにより、支持フレームを昇降操作することができるように構成している。そして、前記駆動機構が、前記起伏脚部材それぞれの上端部付近に取り付けた雌ねじ部材と、これら雌ねじ部材に螺入する一対のねじシャフトと、これらねじシャフトの一方の端部にそれを回転駆動させるために接続された電動モータと、前記一対のねじシャフトを連結する連結手段を構成する連結パイプ及び連結棒とから構成して、単一の電動モータにより２つの起伏脚部材を同時に揺動操作することができるようにしている（例えば、特許文献１参照）。
【０００３】
【特許文献１】
特許第２５１２８６２号公報（図１）
【０００４】
【発明が解決しようとする課題】
上記構成によれば、駆動機構が、多数の部材からなっているため、組み付け作業に多大な時間と手間を要するだけでなく、２つの起伏脚部材を単一の電動モータで起伏操作することから、大きな出力を発揮する電動モータを用いなければならない。そして、このような大出力の電動モータを用いると、支持フレームの昇降開始動作が急激に行われることになるため、昇降をスムーズに行うことができず、非常に取扱面において不利であった。因みに、支持フレームを上昇側へ移動付勢するためのコイルスプリングを備えさせることにより、比較的小型な電動モータで済ませることができ、前記昇降をある程度スムーズに行わせることができるものの、部品点数の増大化を更に招き、組み付け作業に多大な時間と手間を要するものになり、実施し難いものであった。
また、駆動機構が一対の起伏脚部材を連動させる構成であることから、支持フレームの直下方にフレームの長手方向ほぼ全域に渡って駆動機構を配置することになる。このため、支持フレームの上端から駆動機構の下端まで比較的大きな距離を要するため、電動ベッドを低床式に構成することが困難なものであった。
【０００５】
本発明が前述の状況に鑑み、解決しようとするところは、簡素な構成でありながら、スムーズな（安定した）昇降を行わせることができる電動ベッドを提供する点にある。
【０００６】
【課題を解決するための手段】
本発明の電動ベッドは、前述の課題解決のために、床面に接地される接地部と、この接地部に起伏自在に取り付けられた脚部とからなる脚体を前後に配置し、前後方向に長い支持フレームの前側部分及び後側部分に、前記前後一対の脚体をそれぞれ同一側同士で、かつ、前後方向に沿って移動可能な状態で連結し、前記支持フレームの前側部分と前側の脚体との間及び該支持フレームの後側部分と後側の脚体との間のそれぞれに、伸縮式のアクチュエータを備えさせたことを特徴としている。
上記のように、一対の脚体に対してそれぞれ伸縮式のアクチュエータを備えさせる構成にすることによって、単一のアクチュエータを設けるものに比べてほぼ半分の出力を有する小型なアクチュエータで済ませることができ、脚体をスムーズかつ無理なく揺動操作することができる。しかも、２つのアクチュエータにて脚体を直接揺動操作する構成とすることによって、従来のような２つの脚体を連動させるための多数の部品を支持フレームの下方に配置する手間が不要になるだけでなく、部品点数の削減化によるベッド全体の重量の軽量化も実現することができる。また、両方のアクチュエータを同じように駆動することによって、支持フレームを安定良く昇降させることができることは勿論のこと、両方のアクチュエータの作動を異ならせることによって、支持フレームを傾斜姿勢にすることもできる。
【０００７】
前記前側のアクチュエータの一端を前記支持フレームの前側端部に枢支連結すると共に該アクチュエータの他端を前記前側の脚部の中間部に枢支連結し、前記後側のアクチュエータの一端を前記支持フレームの後側端部に枢支連結すると共に該アクチュエータの他端を前記後側の脚部の中間部に枢支連結することによって、アクチュエータからの伸長力を直接脚部に伝達することができる。
【０００８】
前記支持フレームを前側フレーム部と後側フレーム部とに分割し、それら分割された２つのフレーム部の突き合わせ側端部同士を枢支連結することによって、一方のフレーム部をほぼ１８０度揺動させて他方のフレーム部上に一方のフレーム部を位置させた折り畳み状態にすることができる。
【０００９】
前記支持フレームの前側部分を構成する左右の横側部と前記前側の脚部を構成する左右の横側部とを左右一対の前側補助アームにて枢支連結し、前記支持フレームの後側部分を構成する左右の横側部と前記後側の脚部を構成する左右の横側部とを左右一対の後側補助アームにて枢支連結することによって、脚部と支持フレームとの連結強度を高めることができるだけでなく、脚部をスムーズに揺動させることができる。
【００１０】
前記支持フレームの上部に、複数の床からなる床部を備えさせ、前記床部のうちの背部床を、伸縮式のアクチュエータにより起伏自在に構成すると共に膝部床及び脚部床が、伸縮式のアクチュエータにより側面視においてほぼへの字状になるように該膝部床及び脚部床の少なくとも一方を起伏自在に構成してもよい。
【００１１】
前記支持フレームに対して前記前後一対の脚部の支持フレーム側端部をそれぞれ前後移動自在に案内するための案内手段を設けて、支持フレームの昇降時において支持フレームに対して脚部の支持フレーム側端部を前後移動させる構成にしている。
例えば、接地部を回転ローラにて構成して支持フレームの昇降に伴って接地部を前後移動させて支持フレームを昇降させるものの場合に、ベッド全体が不測に前後移動してしまうことがあるが、上記のように接地部は同一位置にて支持フレームを昇降させる構成にすることによって、ベッド全体が移動するようなことがない。
【００１２】
前記案内手段を、前記脚部の支持フレーム側端部に取り付けられた回転ローラと、この回転ローラを係合させるために前記支持フレームに取り付けたガイド部材とから構成することによって、支持フレームの昇降に伴ってガイド部材に係合している回転ローラが回転しながらガイド部材に対して前後方向にスムーズに移動することができる。
【００１３】
前記脚部が、左右一対の左右パイプ部からなり、これら左右パイプ部の支持フレーム側端部それぞれに前記回転ローラを取り付け、これら回転ローラに係合する前記ガイド部材を、左右方向内方側に開口する前後方向視ほぼコの字形状で、かつ、前後方向に伸びるガイドレールから構成することによって、左右の回転ローラを左右パイプ部にて安定良く支持しながら回転させることができながらも、左右の回転ローラが外側からガイドレールにて覆われて見えにくい状態になっている。
【００１４】
【発明の実施の形態】
図１〜図５に、電動ベッド（以下、単にベッドと称する）を示している。このベッドは、床面Ｆに接地される接地部１と、この接地部１に起伏自在に取り付けられた脚部２とからなる脚体３を前後に配置し、前後方向に長く、かつ、複数の床４，５，６，７からなる床部Ｓを載置支持するための支持フレーム８の前側部分及び後側部分に、前記前後一対の脚体３，３をそれぞれ同一側同士で、かつ、前後方向に沿って移動可能な状態で連結し、前記支持フレーム８の前側部分と前側の脚体３との間に第１の伸縮式のアクチュエータ９を備えさせ、かつ、該支持フレーム８の後側部分と後側の脚体３との間に第２の伸縮式のアクチュエータ１０を備えさせてなっている。前記支持フレーム８の前後端に、図示していないヘッドボード及びフットボードを取り付けて実施することになるが、場合によっては、それらを省略して実施することもできる。図では、移動することができない固定式のベッドを示しているが、キャスターを備えさせて移動可能なベッドであってもよい。尚、図１及び図２において、床面Ｆを下方とし床部Ｓを上方として図を見た場合に、図の左側をベッドの前側とし、図の右側をベッドの後側とし、紙面を貫通する方向の手前側を左側とし、奥側を右側として、以下説明を行うものとする。
【００１５】
前記支持フレーム８は、図６及び図７に示すように、前側フレーム部１１と後側フレーム部１２とに分割されてなり、それら分割された２つのフレーム部１１，１２の突き合わせ側端部同士を水平軸芯Ｘ１周りで枢支連結することによって、一方のフレーム部１１又は１２（図６では後側のフレーム部１２）をほぼ１８０度揺動させて、他方のフレーム部１２又は１１（図６では前側のフレーム部１１）上に一方のフレーム部１１又は１２（図６に２点鎖線でフレーム部の一部を示している）を位置させた折り畳み状態にすることができるようにしている。このように２分割されたフレーム部１１，１２を折り畳み状態にすることによって、折り畳み不能に構成された支持フレームに比べて、運搬時の取扱面や収納時の収納スペース面において有利になる利点があるが、場合によっては分割されていない単一の支持フレームに構成して実施してもよい。ここでは、支持フレーム８を２分割した場合を示したが、部品点数が増えるが、３分割以上に構成して実施することもできる。
【００１６】
前記前側フレーム部１１は、左右にほぼ平行に配置された金属製で角筒状の左右パイプ部１１Ａ，１１Ｂと、これら左右パイプ部１１Ａ，１１Ｂの前後端部を連結するために前後にほぼ平行に位置する金属製で角筒状の前後パイプ部１１Ｃ，１１Ｄとからなっている。又、前記後側フレーム部１２も、前記前側フレーム部１１と同様に左右にほぼ平行に配置された角筒状の左右パイプ部１２Ａ，１２Ｂと、これら左右パイプ部１２Ａ，１２Ｂの前後端部を連結するために前後にほぼ平行に位置する角筒状の前後パイプ部１２Ｃ，１２Ｄとからなっている。前記フレーム部１１，１２を筒状のものから構成することによって、軽量化を図ることができながらも、強度面において有利になる利点があるが、ほぼ同一の強度を有するように厚みや大きさを考慮すれば、断面形状がコの字状あるいは板状のものから構成したり、場合によっては硬質合成樹脂や木などから構成することもできる。図７に示す２２は、ほぼコの字状の補助フレームであり、この補助フレーム２２の左右両端から前方側へ延びる係止部２２Ａ，２２Ｂそれぞれの前後一対の係止孔を前記左右パイプ部１２Ａ，１２Ｂの横側面に突出させたピン体１２Ｆ，１２Ｆ（図では左側のものしか見えていない）に係止させて固定することができるようにしている。前記補助フレーム２２を前後長の異なるものに取り替えることによって、ベッドの前後長を変更することができるのである。
【００１７】
図６にも示すように、前記接地部１は、下端部（接地部）側ほど外形が広がったほぼラッパ形状のものからなり、前後の接地部１，１のそれぞれは、左右に同一のものが配置された一対ずつからなり、それら接地部１，１同士を断面形状が円形（角形あるいは楕円形などどのような形状でもよい）の連結パイプ１３（図では後側のものしか見えていない）にて連結している。ここでは、左右一対の接地部１，１を連結パイプにて連結したものから構成したが、左右方向に長い単一の接地部１から構成することもできる。
又、前記脚部２は、前記連結パイプ１３の左右端部に一端が固定された角筒状の左右パイプ部２Ａ，２Ｂと、これら左右パイプ部２Ａ，２Ｂの他端部同士を連結するための断面形状が円形（角形あるいは楕円形などどのような形状でもよい）の連結パイプ２Ｃとからなっている。又、前記連結パイプ２Ｃの両端には、前記前後フレーム部１１，１２の左右パイプ部１１Ａ，１１Ｂ又は１２Ａ，１２Ｂから垂設されると共に前後方向に伸びて移動案内経路を形成するための左右一対ずつのほぼコの字状のガイド部材としてのガイドレール１４Ａ，１４Ａ又は１５Ａ，１５Ｂに係合する回転ローラ１６，１６又は１７，１７（右側のローラのみ見えている）を取り付けて、回転ローラ１６，１６又は１７，１７がガイドレール１４Ａ，１４Ｂ又は１５Ａ，１５Ｂ内を前後移動できるように構成されている。前記ガイドレール１４Ａ，１４Ｂ又は１５Ａ，１５Ｂを、互いに左右方向内側が開放されたほぼコの字形状に構成することによって、外側から回転ローラ１６，１６又は１７，１７が見えにくいだけでなく、他物が外側から接当し難いようにガイドレール１４Ａ，１４Ｂ又は１５Ａ，１５Ｂにて１６，１６又は１７，１７を覆うことができるが、左右方向外側が開放されたガイドレールであってもよいし、又、回転ローラ１６，１６又は１７，１７を案内できる形状であれば、コの字形状以外の形状であってもよい。又、前記左右パイプ部２Ａ，２Ｂの長手方向中央よりも少し下側寄り箇所２Ｈを折り曲げることにより、この折り曲げ部２Ｈから下側部分を下端側ほど左右方向外方側に広がった外拡がり傾斜姿勢に変形させて、左右の接地部１，１間の距離を大きくしてベッドを安定良く接地させることができるようにしているが、左右パイプ部２Ａ，２Ｂを折り曲げないで一直線状のストレートなパイプから構成してもよい。尚、前記回転ローラ１６，１６又は１７，１７とガイドレール１４Ａ，１４Ｂ又は１５Ａ，１５Ｂとから、前記支持フレーム８に対して前後の脚部２，２の支持フレーム側端部（上端部）をそれぞれ前後移動自在に案内するための案内手段を構成している。
【００１８】
図６にも示すように、前記２個のアクチュエータ９，１０は、いずれもモータ本体部９Ａ，１０Ａとこのモータ本体部９Ａ，１０Ａに対して伸縮作動するロッド部９Ｂ，１０Ｂとからなっているが、流体圧シリンダなどで構成することもできる。そして、前記前側のアクチュエータ９のロッド部９Ｂの先端を、前記前側フレーム部１１の前側端部に位置する前パイプ部１１Ｃの左右方向ほぼ中央部に枢支連結すると共に、該アクチュエータ９のモータ本体部９Ａの遊端部を前記前側の脚部２を構成する左右パイプ部２Ａ，２Ｂの中間部同士を連結する補強用連結パイプ（図示していないが、後側の補強用連結パイプ１９と同一）の左右方向ほぼ中央に枢支連結している。又、前記後側のアクチュエータ１０も同様に、アクチュエータ１０のロッド部１０Ｂの先端を、前記後側フレーム部１２の前側端部に位置する後パイプ部１２Ｂの左右方向ほぼ中央部に枢支連結すると共に、該アクチュエータ１０のモータ本体部１０Ａの遊端部を前記後側の脚部２を構成する左右パイプ部２Ａ，２Ｂの中間部同士を連結する補強用連結パイプ１９の左右方向ほぼ中央に枢支連結している。前記のように前後フレーム部１１，１２を構成する前後パイプ部１１Ｃ，１２Ｄと補強用連結パイプ１９（前側は図示していない）との間にアクチュエータ９，１０をそれぞれ取り付けることによって、特別な取付用部材を用いる場合に比べて、部品点数の増大化を回避することができるが、専用の取り付け部材を取り付けてアクチュエータ９，１０を取り付けてもよい。又、それらアクチュエータ９，１０それぞれの両端の取り付け位置は、図に示す位置以外であってもよい。
前記のように２個の電動モータ９，１０を用いる構成とすることによって、従来のように１個の電動モータにて床部を昇降させる場合に、前後の脚体を連動させるための駆動機構が不要になり、構成の簡素化を図ることができるだけでなく、フレームの直下方に前記駆動機構を配置することが不要になる分、床部を床面にできるだけ近づけることができる利点がある。
【００１９】
前記支持フレーム８の前側部分を構成する左右の横側部、つまり左右パイプ部１１Ａ，１１Ｂと前記前側の脚部２を構成する左右の横側部、つまり左右パイプ部２Ａ，２Ｂとを左右一対の前側補助アーム２０Ａ，２０Ｂにて枢支連結し、前記支持フレーム８の後側部分を構成する左右の横側部、つまり左右パイプ部１２Ａ，１２Ｂと前記後側の脚部２を構成する左右の横側部、つまり左右パイプ部２Ａ，２Ｂとを左右一対の後側補助アーム２１Ａ，２１Ｂにて枢支連結して、脚部２と支持フレーム８との連結強度を高めることができるだけでなく、脚部２，２をスムーズかつ安定して揺動させることができるようにしているが、場合によっては省略して実施することもできる。
【００２０】
図５及び図７に示すように、前記床部Ｓは、前述したように４つの床部４，５，６，７からなり、前記ヘッドボード側（前方側）から後端側の水平軸芯Ｘ２周りで揺動自在に枢支された背部床４と、これの後端に固定された腰部床５と、この腰部床５の後端に前方側の水平軸芯Ｘ３周りで揺動自在に枢支された膝部床６と、この膝部床６の後端に枢支連結されると共に後端がフリーになっている脚部床７とから構成しているが、床の個数及び床の具体的構成は、図に示される構成に限定されるものではない。前記背部床４、腰部床５、膝部床６、脚部床７のそれぞれは、外側に位置する枠フレームと、この枠フレームの上端面に多数の棒状体が縦横に張られたメッシュ状の網体とからなっているが、これら以外の構成にして実施してもよい。又、前記背部床４は、ほぼ矩形状に組まれた前側の枠フレーム１８（図７参照）に支持されており、又、前記膝部床６及び脚部床７も同様に、ほぼ矩形状に組まれた前側の枠フレーム２３（図７参照）に支持されており、それら枠フレーム１８，２３を前記支持フレーム８に固定している。
【００２１】
前記背部床４は、図５に示すように、前記枠フレーム１８と背部床４の前側に下方に垂下した状態で取り付けられた固定アーム２４とを枢支連結するための伸縮作動式のアクチュエータである電動モータ２５により起伏自在に構成されている。又、前記膝部床６及び脚部床７の突き合わせ端部同士を枢支連結すると共に、前記膝部床６の前後方向ほぼ中央の下面に一端が枢支連結された操作アーム２６の他端と後側の枠フレーム２３とを伸縮作動式のアクチュエータである電動モータ２７により連結して、電動モータ２７の伸長作動により膝部床６を前端側の水平軸芯Ｘ３周りでそれの下端が上方に位置するように揺動操作することにより、脚部床７が前方側へ移動しながら前端側ほど上方に位置する傾斜姿勢に姿勢変更することで、膝部床６と脚部床７とが側面視においてほぼへの字状（図５参照）に姿勢変更することができるようになっている。尚、ここでは、膝部床６を電動モータ２７の伸長作動により揺動操作することにより、膝部床６と脚部床７とが側面視においてほぼへの字状に姿勢変更することができるように構成したが、脚部床７をアクチュエータを用いて揺動操作したり、膝部床６と脚部床７の両方を揺動操作するようにして実施することもできる。
【００２２】
図１の状態が床Ｓを最も床面Ｆに近づけた最下降位置を示し、この最下降位置から、前後の電動モータ９，１０を同時にほぼ同じ速度で最大伸長作動させることにより、図２に示すように、前記ベッドを最大上昇位置まで昇降させることができるようになっている。又、後側の電動モータ１０は短縮状態のままで前側の電動モータ９のみを最大伸長作動させると、図３に示すように、支持フレーム８が前方側ほど上方に位置した前上がり傾斜姿勢となり、又、前記とは反対に前側の電動モータ９は短縮状態のままで後側の電動モータ１０のみを最大伸長作動させると、図４に示すように、支持フレーム８が後方側ほど上方に位置した後上がり傾斜姿勢となる。図では、電動モータ９又は１０を全て最大伸長作動させた場合を示したが、任意の伸縮位置で停止させてもよい。又、図５では、前記支持フレーム８が前上がり傾斜姿勢で、前記背部床４が起伏姿勢で、膝部床６と脚部床７とが側面視においてほぼへの字状の姿勢になっている状態を示しており、４個の電動モータ９，１０，２４，２５を用いることによって、ベッドをあらゆる姿勢にすることが可能になる。
【００２３】
【発明の効果】
請求項１の発明によれば、一対の脚体に対してそれぞれ伸縮式のアクチュエータを備えさせる構成にすることによって、単一のアクチュエータを設けるものに比べてほぼ半分の出力を有する小型なアクチュエータで済ませることができ、脚体をスムーズかつ無理なく揺動操作することができ、使用面において有利になる。しかも、２つのアクチュエータにて脚体を直接揺動操作する構成とすることによって、従来のような２つの脚体を連動させるための多数の部品を支持フレームの下方に配置する手間が不要になるだけでなく、部品点数の削減化によるベッド全体の重量の軽量化も実現することができ、組み立て作業面及び運搬作業面のいずれにおいても有利になる。
また、両方のアクチュエータを同じように駆動することによって、支持フレームを安定良く昇降させることができることは勿論のこと、一方のアクチュエータのみを作動させることによって、支持フレームを傾斜姿勢にするこができる商品価値の高いベッドにすることができる。
また、従来のように支持フレームの直下方にフレームの長手方向ほぼ全域に渡って駆動機構を配置することが不要になり、その分床部を下げて床面に近づけることができ、より一層低床を図ることができる使用者にとってより好ましいベッドにすることができる。
【００２４】
請求項２の発明によれば、前側のアクチュエータの一端を支持フレームの前側端部に枢支連結すると共にアクチュエータの他端を前側の脚部の中間部に枢支連結し、後側のアクチュエータの一端を支持フレームの後側端部に枢支連結すると共にアクチュエータの他端を後側の脚部の中間部に枢支連結することによって、アクチュエータからの伸長力を直接脚部に伝達することができ、更に動力の小さなアクチュエータで済ませることができ、組み立て作業面及びコスト面において有利になる。
【００２５】
請求項３の発明によれば、支持フレームを前側フレーム部と後側フレーム部とに分割し、それら分割された２つのフレーム部の突き合わせ側端部同士を枢支連結することによって、一方のフレーム部をほぼ１８０度揺動させて他方のフレーム部上に一方のフレーム部を位置させた折り畳み状態にすることができ、運搬を含めた取扱面及び収納面において有利になる。
【００２６】
請求項４の発明によれば、支持フレームの前側部分を構成する左右の横側部と前側の脚部を構成する左右の横側部とを左右一対の補助アームにて枢支連結し、支持フレームの後側部分を構成する左右の横側部と後側の脚部を構成する左右の横側部とを左右一対の後側補助アームにて枢支連結することによって、脚部と支持フレームとの連結強度を高めることで耐久性の向上を図ることができだけでなく、脚部をスムーズに揺動させることで、使用者に不安感を与えることのない商品価値の高いものにすることができる。
【００２７】
請求項５の発明によれば、支持フレームの上部に、複数の床からなる床部を備えさせ、床部のうちの背部床を、伸縮式のアクチュエータにより起伏自在に構成すると共に膝部床及び脚部床が、伸縮式のアクチュエータにより側面視においてほぼへの字状になるように膝部床及び脚部床の少なくとも一方を起伏自在に構成することによって、支持フレームの昇降及び傾斜姿勢に合わせて床部を起伏させてあらゆる姿勢にベッドを変更することができ、使用者にとって満足度の高いものにすることができる。
【００２８】
請求項６の発明によれば、支持フレームに対して前後一対の脚部の支持フレーム側端部をそれぞれ前後移動自在に案内するための案内手段を設けて、支持フレームの昇降時において支持フレームに対して脚部の支持フレーム側端部を前後移動させる構成にすることによって、ベッド全体が不測に前後移動してしまうことがなく、ベッド上にいる使用者にとって不安感を与えない信頼性の高いベッドを構成することができる。
【００２９】
請求項７の発明によれば、案内手段を、脚部の支持フレーム側端部に取り付けられた回転ローラと、この回転ローラを係合させるために支持フレームに取り付けたガイド部材とから構成することによって、支持フレームの昇降に伴ってガイド部材に係合している回転ローラが回転しながらガイド部材に対して前後方向にスムーズに移動することができ、商品価値の高いベッドとすることができる。
【００３０】
請求項８の発明によれば、脚部が、左右一対の左右パイプ部からなり、これら左右パイプ部の支持フレーム側端部それぞれに回転ローラを取り付け、これら回転ローラに係合するガイド部材を、左右方向内方側に開口する前後方向視ほぼコの字形状で、かつ、前後方向に伸びるガイドレールから構成することによって、左右の回転ローラを左右パイプ部にて安定良く支持しながら回転させることができながらも、左右の回転ローラが外側からガイドレールにて覆われて見えにくい状態になり、意匠感を良好にすることができると共に他物との接当により回転ローラの破損を回避することができ、使用面及び耐久面のいずれにおいても優れたベッドとすることができる。
【図面の簡単な説明】
【図１】床部を最下降位置に位置させた状態を示すベッドの全体側面図である。
【図２】床部を最上昇位置に位置させた状態を示すベッドの全体側面図である。
【図３】床部を前上がり傾斜姿勢にしたベッドの全体側面図である。
【図４】床部を後上がり傾斜姿勢にしたベッドの全体側面図である。
【図５】床部を前上がり傾斜姿勢にし、背部床を最大起伏姿勢にすると共に膝部床と脚部床をほぼへの字姿勢にしたベッドの全体側面図である。
【図６】床部を省略したベッドの全体斜視図である。
【図７】支持フレームと床部とを示す分解斜視図である。
【符号の説明】
１  接地部          ２  脚部
２Ｃ  連結パイプ    ２Ａ，２Ｂ  左右パイプ部
２Ｈ  折り曲げ部
３  脚体            ４  背部床
５  腰部床          ６  膝部床
７  脚部床          ８  支持フレーム
９  アクチュエータ  ９Ａ  モータ本体部
９Ｂ  ロッド部      １０  アクチュエータ
１０Ａ  モータ本体部
１０Ｂ  ロッド部    １１  フレーム部
１１Ｃ  前パイプ部  １２  フレーム部
１２Ｂ  後パイプ部  １２Ｆ  ピン体
１３  連結パイプ
１９  補強用連結パイプ
１１Ａ，１１Ｂ  左右パイプ部
２２  補助フレーム    ２２Ａ，２２Ｂ  係止部
１８，２３  枠フレーム
２４  固定アーム    ２５  電動モータ
２６  操作アーム    ２７  電動モータ
１４Ａ，１４Ａ  ガイドレール（ガイド部材）
１６  回転ローラ
２０Ａ，２０Ｂ  前側補助アーム
２１Ａ，２１Ｂ  後側補助アーム
Ｓ  床部            Ｘ１  水平軸芯
Ｘ２  水平軸芯      Ｘ３  水平軸芯
【図１】
2005065710.tif 000003
【図２】
2005065710.tif 000004
【図３】
2005065710.tif 000005
【図４】
2005065710.tif 000006
【図５】
2005065710.tif 000007
【図６】
2005065710.tif 000008
【図７】
2005065710.tif 000009